(57)【要約】【課題】陳列商品を起立姿勢で整然と陳列することができ、且つ背もたれ部の奥側の陳列商品の取り出しが容易な商品陳列具を提供すること。【解決手段】くり抜き状の案内溝１５を基板１の幅方向の略中央に前後方向に延びるように形成してなる商品が載置される基板１と、Ｔ字形状の商品背もたれ板２１を有する基板１の案内溝１５に前後方向にスライド自在に係合してなる背もたれ部２とを備え、商品背もたれ板２１は、前方へ作用する外力により前方へ倒伏し、該外力を取り去ることで起立姿勢を維持する商品陳列具。【選択図】図１
0003126984.tif 000002
【実用新案登録請求の範囲】
【請求項１】
くり抜き状の案内溝を基板の幅方向の略中央に前後方向に延びるように形成してなる商品が載置される基板と、Ｔ字形状の商品背もたれ板を有する該基板の案内溝に前後方向にスライド自在に係合してなる背もたれ部とを備え、該商品背もたれ板は、前方へ作用する外力により前方へ倒伏し、該外力を取り去ることで起立姿勢を維持することを特徴とする商品陳列具。
【請求項２】
当該背もたれ部は、Ｔ字形状の商品背もたれ板が、該案内溝に前後方向にスライド自在に係合する板状のランナーに、トーションバネを介して軸支されていることを特徴とする請求項１記載の商品陳列具。
【請求項３】
当該背もたれ部は、該基板の案内溝に、１個又は２個以上設置されていることを特徴とする請求項１又は２記載の商品陳列具。
【請求項４】
当該基板の後端に、商品の背もたれとなると共に、該基板の前後方向の陳列長さを拡張できる背板を更に設置することを特徴とする請求項１〜３のいずれか１項記載の商品陳列具。
【請求項５】
当該背板は、中央が切り欠かれたフォーク状の第２基板と該第２基板の後端から垂直に延びる本体部からなる側面視が略Ｌ字形状のものであって、該第２基板面上に形成された１又は２以上の第１係合部と該基板に形成された１又は２以上の第２係合部との係合により、陳列長さの調整を行うことを特徴とする請求項１〜４のいずれか１項に記載の商品陳列具。
【請求項６】
当該基板面上に、陳列商品の滑りを防止する突起を前後方向に所定のピッチで多数設けたことを特徴とする請求項１〜５のいずれか１項に記載の商品陳列具。
【請求項７】
当該基板の裏面に、載置面に固定できるように、更にマグネットを設置したことを特徴とする請求項１〜６のいずれか１項に記載の商品陳列具。
【請求項８】
当該背板の第２基板の裏面に、載置面に固定できるように、更にマグネットを設置したことを特徴とする請求項４〜６のいずれか１項に記載の商品陳列具。
【考案の詳細な説明】
【技術分野】
【０００１】
本考案は、陳列商品を起立姿勢で整然と陳列することができ、且つ陳列商品の取り出しが容易な商品陳列具に関するものである。
【背景技術】
【０００２】
陳列商品を起立姿勢で整然と陳列することができる商品陳列具としては、商品が載置される平板状の基板面上に、側面視がＬ字形状の背もたれ部の１又は２以上を備える商品陳列具が知られている。商品背もたれ板は陳列商品を起立姿勢で陳列させるため、通常、長手方向に複数個設置される。この商品陳列具は、背もたれ部が基板面上に固定されておらず、商品を陳列する際、背もたれ部が移動するため、作業がやり難い。一方、基板面上に背もたれ部を前後方向に複数個、固定した商品陳列具も知られている。
【考案の開示】
【考案が解決しようとする課題】
【０００３】
しかしながら、基板面上に背もたれ部を前後方向に複数個、固定した商品陳列具は、背もたれ部の奥側の商品を取り出す際、当該商品の手前の商品背もたれ板が取り出しの障害となるという問題があった。
【０００４】
従って、本考案の目的は、陳列商品を起立姿勢で整然と陳列することができ、且つ背もたれ部の奥側の陳列商品の取り出しが容易な商品陳列具を提供することにある。
【課題を解決するための手段】
【０００５】
本考案は、上記課題を解決するものであって、くり抜き状の案内溝を基板の幅方向の略中央に前後方向に延びるように形成してなる商品が載置される基板と、Ｔ字形状の商品背もたれ板を有する該基板の案内溝に前後方向にスライド自在に係合してなる背もたれ部とを備え、該商品背もたれ板は、前方へ作用する外力により前方へ倒伏し、該外力を取り去ることで起立姿勢を維持する商品陳列具を提供するものである。
【０００６】
また、本考案は、当該背もたれ部は、Ｔ字形状の商品背もたれ板が、該案内溝に前後方向にスライド自在に係合する板状のランナーに、トーションバネを介して軸支されている前記商品陳列具を、また、本考案は、当該背もたれ部は、該基板の案内溝に、１個又は２個以上設置されている前記商品陳列具を、また、本考案は、当該基板の後端に、商品の背もたれとなると共に、該基板の前後方向の陳列長さを拡張できる背板を更に設置する前記商品陳列具を、また、当該背板は、中央が切り欠かれたフォーク状の第２基板と該第２基板の後端から垂直に延びる本体部からなる側面視が略Ｌ字形状のものであって、該第２基板面上に形成されたと１又は２以上の第１係合部と該基板に形成された１又は２以上の第２係合部との係合により、陳列長さの調整を行う前記商品陳列具を、また、本考案は、当該基板面上に、陳列商品の滑りを防止する突起を前後方向に所定のピッチで多数設けた前記商品陳列具を、また、本考案は、当該基板の裏面に、載置面に固定できるように、更にマグネットを設置した前記商品陳列具を、また、本考案は、当該背板の第２基板の裏面に、載置面に固定できるように、更にマグネットを設置した商品陳列具をそれぞれ提供するものである。
【考案の効果】
【０００７】
本考案の商品陳列具は、陳列商品を取り出す際、当該陳列商品の前方側にある商品背もたれ板に当ったとしても、当該商品背もたれ板は、前方（手前）に倒伏するため、容易に取り出すことができる。また、背もたれ部は、基板の案内溝に前後方向にスライド自在であるため、陳列商品の種類や陳列量により、最適な個数及び前後方向のピッチを容易に決定することができる。また、背もたれ部は、後方に作用力が働いても、後方には倒伏せず、安定な起立姿勢を採るため、商品の陳列作業を容易にすると共に、安定した商品陳列姿勢を採ることができる。また、背板と基板が分離でき且つ前後方向の陳列長さを選択できるため、在庫量に応じた陳列面を調整できる。また、基板面上に、陳列商品の滑りを防止する突起を前後方向に所定のピッチで多数設けたことにより、袋状商品の陳列姿勢が安定する。また、基板の裏面又は背板の第２基板の裏面にマグネットを設置したため、載置面への設置が安定し、且つ陳列作業も容易となる。
【考案を実施するための最良の形態】
【０００８】
本考案の実施の形態における商品陳列具を図１〜図６を参照して説明する。図１は本例の商品陳列具の斜視図、図２は図１の商品陳列具を構成する基板と背板の分離状態を示す図、図３は図２の商品陳列具を裏面から見た図、図４は図１の商品陳列具を構成する背もたれ部の斜視図、図５は図４の背もたれ部の側面図、図６は基板に背もたれ部を設置する説明図、図７は商品の陳列姿勢を示す側面図、図８は背もたれ部の後方にある陳列商品を取り出す状況を説明する図をそれぞれ示す。なお、本明細書において、前方は、顧客側を言い、左右方向は顧客側から見た方向を言う。
【０００９】
本例の商品陳列具１０は、背もたれ部２が前後方向にスライド自在に設置され商品（図１中、不図示）が載置される平板状の基板１と、基板１の後端で基板１に着脱自在な背板３と、自然状態で起立姿勢のＴ字形状の商品背もたれ板２１を有する背もたれ部２から構成される。なお、本考案において、背板３は任意の構成部材である。
【００１０】
基板１には、細長い四角形状にくり抜かれた案内溝１５が基板１の幅方向の略中央に前後方向に延びるように形成されている。案内溝１５の左右両側の内面には、後方側の一部を残して凸状レール１６が前後方向に延在している。なお、案内溝１５の後方側の凸状レール１６がない部分は、基板１に背もたれ部２を組み付ける際、案内溝１５に背もたれ部２を挿入する入口となる部分である（図６参照）。なお、案内溝１５の形状及び幅としては、特に制限されず、背もたれ部２の設置安定性及びスライド安定性等を考慮して適宜決定される。また、案内溝１５の長さは、背板３が無い場合、基板１の強度を保持する範囲において長い方が、後方側において無駄なスペースができない点で好ましい。
【００１１】
基板１の上面の案内溝１５を除いた部分には、陳列商品の滑りを防止する突起１２が前後方向に所定のピッチで多数付設されている。突起１２の形状は、本例では高さが約１ｃｍ程度の背の低い板状物であって、上方両側角部にはアールが形成されている。なお、本考案においては、突起１２の形状は、特に制限されず、例えば角棒や丸棒部材などの更に背の低い部材であってもよい。背の高い突起１２は、そのままでは陳列姿勢が安定しない袋状商品の陳列に適する。
【００１２】
基板１の前方端には、突起１２と同じ形状であって、やや背の高い商品転落防止板１３が設置されている。これにより、陳列商品の滑り防止と前方への転落を防止している。なお、本考案においては、商品転落防止板１３の形状は、特に制限されず、例えば更に背の高い矩形状の部材であってもよい。背の高い商品転落防止板１３は、顧客から陳列商品の全体が見難いものとなるが、商品転落防止効果は向上する。
【００１３】
基板１の後方側の上面には、背板３の第２基板３２に形成された第１係合部３３と係合する小さな矩形状の係合孔１４（第２係合部）が形成されている。係合孔１４は、本例では前後方向に所定のピッチで２ヶ所、且つ案内溝１５を挟んで左右の基板にそれぞれ付設されており、前方側が前方第２係合部１４ａであり、後方側が後方第２係合部１４ｂである。これにより、基板１と背板３の係合は２箇所で適宜決定でき、背板３の第１係合部３３と前方第２係合部１４ａが係合する通常の係合形態（図１の状態）と、背板３の第１係合部３３と後方第２係合部１４ｂが係合する拡張形態が選択できる。
【００１４】
基板１の後方の裏面には、案内溝１５を残し、且つ両側の囲い部１８の付設により、くり抜き状のケース部１９が形成かれている。囲い部１８の内側の高さ、すなわち、上下方向における隙間は背板３の第２基板３２の厚みとほぼ同じかそれよりやや大きい寸法となっている。これにより、くり抜き状のケース部１９に背板３を差し込めば、基板１と背板３が適度な強度で固定され、更に背板３が基板１に対して着脱自在となる。
【００１５】
また、基板１の前方の裏面には、幅方向の全長に亘り、マグネット４ａが付設されている。これにより、鉄製の棚板面への設置が安定する。
【００１６】
背もたれ部２は、基板１の案内溝１５に前後方向にスライド自在に係合してなるＴ字形状の商品背もたれ板２１を有するものであり、図５に示すように、商品背もたれ板２１は、前方へ作用する外力により前方へ倒伏し、外力を取り去ることで起立姿勢を維持するものである。前方への倒伏角度としては、少なくとも基板１に対して４５度の倒伏であればよく、好ましくは基板１の突起１２に触れるほど倒伏することが円滑な抜き取りが可能となる点で好ましい。
【００１７】
背もたれ部２は、本例ではＴ字形状の商品背もたれ板２１と、案内溝１５に前後方向にスライド自在に係合する板状のランナー２２と、軸２５と、トーションバネ２４から構成されている。板状のランナー２２は、ランナー本体部２２１とランナー本体部の両側に付設される軸受け部２２２とからなる。商品背もたれ板２は軸２５に対して、トーションバネ２４を介して軸支されている。これにより、商品背もたれ板２１はランナー２２に対して、前方への外力が作用すると前方へ倒伏し、当該外力を除くとバネ付勢により、元の起立姿勢を採ることができる。
【００１８】
また、商品背もたれ板２１は透明樹脂を使用することが、顧客は商品背もたれ板２１の後ろの陳列商品の全体像を視覚的に把握することができる点で好ましい。また、背もたれ部２は、基板１の案内溝１５に１個又は２個以上、通常は２個設置されるものである。背もたれ部２の設置個数が多すぎると、商品の陳列スペースが少なくなり、逆に少な過ぎると共に基板１の前後方向の長さが大の場合、特に袋状の陳列商品を起立姿勢で陳列することができなくなる。
【００１９】
背もたれ部２のランナー本体２２１の左右両側端には、案内溝１５の凸状レールに係合する凹状レール２３が形成されている。これにより、背もたれ部２は、案内溝１５に沿って、前後方向にスライド自在となる。
【００２０】
背板３は、基板１の後端に着脱自在に設置されて、商品の背もたれとなると共に、基板１の前後方向の陳列長さを調整するものである。背板３は、中央に切り欠き部３４を有するフォーク状の第２基板３２と第２基板３２の後端から垂直に延びる本体部３１からなる側面視が略Ｌ字形状のものであって、第２基板３２面上に形成されたと第１係合部３３と基板１に形成された２個の第２係合部１４との係合により、陳列長さの調整を行う。
【００２１】
すなわち、基板１と背板３の係合は２箇所で適宜決定でき、背板３の第１係合部３３と前方第２係合部１４ａが係合する通常の係合形態（図１の状態）と、背板３の第１係合部３３と後方第２係合部１４ｂが係合する拡張形態が選択できる。
【００２２】
第１係合部３３は、台形断面の棒状突起であるがこれに限定されず、例えば凹状の係合部であってもよい。第１係合部３３が凹状の係合部の場合、第２係合部は凸状の係合部となる。また、第２係合部１４は、基板１に形成された矩形状の貫通溝であるが、これに限定されず、例えば下方に凸状の係合部であってもよい。第２係合部１４が下方の凸状の係合部の場合、第１係合部３３は凹状の係合部となる。また、本考案の商品陳列具において、第２係合部の前後方向における設置個数は、本例のような２個に限定されず、例えば３個又は４個であってもよい。第２係合部の設置個数が増えると、基板１及び第２基板３２で形成される商品の陳列長さを長くとれたり、小さなピッチで微調整が可能となったりする。第１係合部及び第２係合部は設置数が複数の場合、前後方向に対するピッチは適宜決定される。
【００２３】
また、背板３の第２基板３２の後方の裏面には、幅方向の全長に亘り、マグネット４ｂが付設されている。これにより、鉄製の棚板面への設置が安定する。
【００２４】
商品陳列具１０の組み付け方法の一例を示す。例えばスチール製の陳列棚面の所定位置に基板１をセットする。基板１は、その裏面に形成されたマグネット１４ａによりスチール製の陳列棚面に強くセットされる。次いで、背もたれ部２を基板１の案内溝１５の後方の挿入口から挿入し、ランナー本体２２１の凹状レール２３と案内溝１５の凸状レール１６を係合させる。背もたれ部２を２個以上設置する場合、更に２個目あるいはそれ以上の背もたれ部２を同様の方法でセットする。次いで、背板３を基板１のケース部１９に後方側から差し込み、背板３の第１係合部３３と第２係合部１４ａ又は第２係合部１４ｂを係合させる。背板３はその裏面に形成されたマグネット１４ｂによりスチール製の陳列棚面に強くセットされる。また、商品陳列具１０は、前後のマグネット１４ａ、１４ｂによりスチール製の陳列棚面に強くセットされる。この状態において、背もたれ部２の商品背もたれ板２１は基板１に対して起立姿勢を採っている。必要に応じて、商品陳列具１０の両側には、別途の部材である商品仕切り板を設置する。また、必要に応じて、複数個の商品陳列具１０を横並びで設置する。
【００２５】
次いで、商品Ａを基板１上に前後方向に多数載置して陳列状態を形成する（図７）。なお、商品Ａの陳列形態としては、図７の陳列形態の他、例えば背もたれ部２の前方のみであってもよく、背もたれ部２の後方のみであってもよい。自然状態では起立姿勢が採り難い袋状の商品Ａは、背もたれ部２の商品背もたれ板２１と突起１２により、あるいは背板３と突起１２により、整然とした起立姿勢を採ることができる。顧客は商品Ａを購入する際、通常、手前の商品から抜き取っていく。
【００２６】
背もたれ部２より前方の商品が売れてなくなるか、あるいは当初より背もたれ部２より前方の商品を陳列しない場合、背もたれ部２より後方の陳列商品が抜き取られる。その際、背もたれ部２の商品背もたれ板２１が取り出しの邪魔となるが、本例の商品陳列具１０の場合、商品背もたれ板２１が前方へ倒れるため、商品が取り出しやすくなる。
【００２７】
本例の商品陳列具１０は、特に自然状態において起立姿勢が採り難い袋状の商品を陳列する場合に好適なものである。
【図面の簡単な説明】
【００２８】
【図１】本実施の形態例の商品陳列具の斜視図である。
【図２】図１の商品陳列具を構成する基板と背板の分離状態を示す図である。
【図３】図２の商品陳列具を裏面から見た図である。
【図４】図１の商品陳列具を構成する背もたれ部の斜視図である。
【図５】図４の背もたれ部の側面図である。
【図６】基板に背もたれ部を設置する説明図である。
【図７】商品の陳列姿勢を示す側面図である。
【図８】背もたれ部の後方にある陳列商品を取り出す状況を説明する図である。
【符号の説明】
【００２９】
１      基板
２      背もたれ部
３      背板
４ａ、４ｂ    マグネット
１０      商品陳列具
１１      基板本体部
１２      突起
１３      前方転落防止板
１４ａ、１４ｂ    マグネット
１５      案内溝
１６      凸状レール
１９      ケース部
２１      商品背もたれ板
２２      ランナー
２３      凹状レール
２４      トーションバネ
２５      軸
３１      背板本体部
３２      第２基板
３３      第１係合部
３４      切り欠き部
【図１】
0003126984.tif 000003
【図２】
0003126984.tif 000004
【図３】
0003126984.tif 000005
【図４】
0003126984.tif 000006
【図５】
0003126984.tif 000007
【図６】
0003126984.tif 000008
【図７】
0003126984.tif 000009
【図８】
0003126984.tif 000010